(57)【要約】【課題】  スタンバイモード時の消費電力を抑制する光ディスク装置内蔵型テレビジョン装置を提供する。【解決手段】  光ディスク装置内蔵型テレビジョン装置は、テレビ用マイコン１１およびテレビ用電源１２を備えるテレビユニット１０と、光ディスク用マイコン２１、光ディスク用電源２２、および発振停止コントローラ２４を備える光ディスクユニット２０とを備える。テレビ用マイコン１１から起動信号の出力が停止されると、発振停止コントローラ２４はこれを検出して、光ディスク用電源２２の一次側電源への電力供給を停止する。テレビ用電源１２はテレビ用マイコン１１からの制御信号により、光ディスク用電源２２に代わり、光ディスク用マイコン２１に電力供給を行う。光ディスク用マイコン２１はテレビ用電源１２からの電力供給により低周波数発振してスタンバイモードとなる。【選択図】  図１
2005347995.tif 000002
【特許請求の範囲】
【請求項１】
光ディスクの記録再生を制御する光ディスク用制御手段、および、光ディスクの記録再生に用いる各部に電力を供給する光ディスク用電源を備えた光ディスクの記録再生を行う光ディスク装置と、受信したテレビジョン放送信号の再生制御を行うとともに装置全体の制御を行うテレビ用制御手段、およびテレビ側の各部に電力を供給するテレビ用電源を備えたテレビジョン装置とが、同一の筐体内に配置された光ディスク装置内蔵型テレビジョン装置において、
前記テレビ用制御手段から前記光ディスク用制御手段に出力される起動制御信号を検出した結果により電源入力待機時を判断して、前記光ディスク用電源の一次側電源への電力供給を停止する電力供給停止手段を備え、
前記テレビ用電源は、前記電力供給停止手段が前記光ディスク用電源への電力供給を停止した時点で、前記光ディスク用制御手段に電力を供給し、
前記光ディスク用制御手段は、前記電源入力待機時に電力供給されると低周波数発振を行うことを特徴とする光ディスク装置内蔵型テレビジョン装置。
【請求項２】
光ディスクの記録再生を制御する光ディスク用制御手段、および、光ディスクの記録再生に用いる各部に電力を供給する光ディスク用電源を備えた光ディスクの記録再生を行う光ディスク装置と、受信したテレビジョン放送信号の再生制御を行うとともに装置全体の制御を行うテレビ用制御手段、およびテレビ側の各部に電力を供給するテレビ用電源を備えたテレビジョン装置とが、同一の筐体内に配置された光ディスク装置内蔵型テレビジョン装置において、
電源入力待機時に、前記光ディスク用電源の一次側電源への電力供給を停止する電力供給停止手段を備え、
前記テレビ用電源は、前記電力供給停止手段が前記光ディスク用電源への電力供給を停止した時点で、前記光ディスク用制御手段に電力を供給することを特徴とする光ディスク装置内蔵型テレビジョン装置。
【請求項３】
前記電力供給停止手段は、前記テレビ用制御手段から前記光ディスク用制御手段に出力される起動制御信号を検出した結果に応じて前記光ディスク用電源への電力供給を停止する請求項２に記載の光ディスク装置内蔵型テレビジョン装置。
【請求項４】
前記光ディスク用制御手段は、前記電源入力待機時に電力供給されると低周波数発振を行う請求項２または請求項３に記載の光ディスク装置内蔵型テレビジョン装置。
【発明の詳細な説明】
【技術分野】
【０００１】
この発明は、光ディスクの記録再生を行う光ディスク装置がテレビジョン放送信号の再生を行うテレビジョン装置に内蔵されている光ディスク装置内蔵型テレビジョン装置に関するものである。
【背景技術】
【０００２】
従来、テレビジョン装置や光ディスク装置では、電源ＯＦＦ状態ではあるが、予約再生や予約録画のためにマイコンには電力を供給し続けるスタンバイモードが備えられている。このようなスタンバイモードでは、如何に待機電力を抑制するかが問題となり、これを解決する装置が各種考案されている（例えば、特許文献１、特許文献２、特許文献３参照。）。
【０００３】
このようなスタンバイモードについては、光ディスク装置を内蔵するテレビジョン装置のような一体型に装置であっても同様に備えられている。この際、このような一体型の装置では、それぞれの機能部に対してマイコンを備えており、光ディスク装置内蔵型テレビジョン装置では、テレビジョン装置の機能を制御するテレビ用マイコンと、光ディスク装置の機能を制御する光ディスク用マイコンとの二つのマイコンが備えられており、それぞれがスタンバイモードで電力供給されている。ここで、従来の光ディスク装置内蔵型テレビジョン装置の電源系の概略構成について図０を参照して説明する。
【０００４】
図３は従来の光ディスク内蔵型テレビジョン装置の電源系の概略構成を示す構成図である。図３における、太線矢印は電源ラインを表し、細線矢印は制御信号ラインを表している。
【０００５】
図３に示すように、光ディスク装置内蔵型テレビジョン装置は、筐体１内に、受信したテレビジョン放送信号を再生するＴＶユニット１０と、光ディスクの情報の記録再生を行う光ディスクユニット２０とが備えられている。
【０００６】
ＴＶユニット１０は、テレビ機能を制御するテレビ用マイコン１１と、ＴＶユニット１０内の各部に電力供給するテレビ用電源１２と、再生された画像を表示する表示部１３等の各機能部とからなる。
【０００７】
一方、光ディスクユニット２０は、光ディスク記録再生制御を行う光ディスク用マイコン２１と、光ディスクユニット２０内の各機能部に電力を供給する光ディスク用電源２２と、スピンドルモータやステッピングモータ等からなる駆動部２３等の機能部とからなる。そして、この光ディスク装置内蔵型テレビジョン装置の全体をテレビ用マイコン１１で制御しており、スタンバイモードになるとテレビ用マイコン１１は、光ディスク用マイコンに対してスタンバイモード信号を出力し、それぞれの装置がスタンバイモードとなる。
【特許文献１】特開平８−２８６７７０号公報
【特許文献２】特開２００２−２０４３２１公報
【特許文献３】特開２００４−２３８９４公報
【発明の開示】
【発明が解決しようとする課題】
【０００８】
ところが、光ディスク装置内蔵型テレビジョン装置では、メイン制御を行うテレビ用マイコン１１とは別に、光ディスク用マイコン２１に停電時にも所定時間に亘り動作させたり、予約再生、予約録画を行うための時計機能が備えられており、スタンバイモードであっても常時所定の電力が供給されている。そして、この電力は光ディスク用電源２２から供給されている。このため、光ディスク用電源２２にも、スタンバイモード時に電力が供給されている。しかしながら、光ディスク用電源２２は、モータ等の駆動部への電力供給も行っており、消費電力が他の部分よりも大きい。このため、光ディスク装置内蔵型テレビジョン装置の全体としても、スタンバイモード時の消費電力が大きくなってしまい、省エネの基準値である１Ｗ以下とすることができなかった。
【０００９】
この発明の目的は、スタンバイモード時の消費電力を抑制する光ディスク装置内蔵型テレビジョン装置を提供することにある。
【課題を解決するための手段】
【００１０】
この発明は、光ディスクの記録再生を制御する光ディスク用制御手段、および、光ディスクの記録再生に用いる各部に電力を供給する光ディスク用電源を備えた光ディスクの記録再生を行う光ディスク装置と、受信したテレビジョン放送信号の再生制御を行うとともに装置全体の制御を行うテレビ用制御手段、およびテレビ側の各部に電力を供給するテレビ用電源を備えたテレビジョン装置とが、同一の筐体内に配置された光ディスク装置内蔵型テレビジョン装置において、電源入力待機時に、光ディスク用電源の一次側電源への電力供給を停止する電力供給停止手段を備え、テレビ用電源で、電力供給停止手段が光ディスク用電源への電力供給を停止した時点に、光ディスク用制御手段に電力を供給することを特徴としている。
【００１１】
この構成では、電源入力待機時すなわちスタンバイモードになると、光ディスク用電源に電力が供給されないため、この光ディスク用電源では電力消費が行われない。この際、テレビ用電源が光ディスク用制御手段に電力を供給するので、光ディスク用制御手段は光ディスク用電源からの電力供給がなくてもスタンバイモードで動作する。
【００１２】
また、この発明は、電力供給停止手段がテレビ用制御手段から光ディスク用制御手段に出力される起動制御信号を検出した結果に応じて光ディスク用電源への電力供給を停止することを特徴としている。
【００１３】
この構成では、テレビ用制御手段から光ディスク用制御手段に出力される起動制御信号、例えば、所定電圧のＨｉ信号が検出されなければ、電源オフモードすなわちスタンバイモードであると判断して光ディスク用電源への電力供給が停止される。これにより、装置全体を制御するテレビ用制御手段で特別な電源停止信号を発生する必要がなく、制御が容易となる。
【００１４】
また、この発明は、光ディスク用制御手段が、電源入力待機時に電力供給されると低周波数発振を行うことを特徴としている。
【００１５】
この構成では、スタンバイモード時に低周波数発振を行うことで、光ディスク用制御手段により消費される電力が抑制される。これにより、スタンバイモード時の消費電力をより一層低下させることができる。
【発明の効果】
【００１６】
この発明によれば、スタンバイモードになると、従来最も消費電力の大きい光ディスク用電源に電力が供給されないため、この光ディスク用電源では電力消費が行われない。これにより、スタンバイモード時の消費電力が大幅に低下する。この際、光ディスク用制御手段には、テレビ用電源から電力が供給されているので、光ディスク装置（光ディスクユニット）のスタンバイモードは維持される。すなわち、低消費電力のスタンバイモードを備える光ディスク装置内蔵型テレビジョン装置を構成することができる。
【発明を実施するための最良の形態】
【００１７】
本発明の実施形態に係る光ディスク装置内蔵型テレビジョン装置について、図１、図２を参照して説明する。
【００１８】
図１は、本発明の実施形態に係る光ディスク装置内蔵型テレビジョン装置の電源系の概略構成を示すブロック図である。図１における、太線矢印は電源ラインを表し、細線矢印は制御信号ラインを表している。
【００１９】
光ディスク装置内蔵型テレビジョン装置は、筐体１内に、受信したテレビジョン放送信号を再生するＴＶユニット１０と、光ディスクの情報の記録再生を行う光ディスクユニット２０とが備えられている。
【００２０】
ＴＶユニット１０は、テレビ機能を制御するテレビ用マイコン１１と、ＴＶユニット１０内の各部に電力供給するテレビ用電源１２と、再生された画像を表示する表示部１３等の各機能部とを備える。
【００２１】
光ディスクユニット２０は、光ディスク記録再生制御を行う光ディスク用マイコン２１と、光ディスクユニット２０内の各機能部に電力を供給する光ディスク用電源２２と、スピンドルモータやステッピングモータ等からなる駆動部２３等の機能部と、ＴＶユニット１０のテレビ用マイコン１１から出力される起動信号を検出して、未検出時に光ディスク用電源２３への電力供給を停止する発振停止コントローラ２４とを備える。この発振停止コントローラ２４が本発明の「電力供給停止手段」に相当する。
【００２２】
この光ディスク装置内蔵型テレビジョン装置の全体は、テレビ用マイコン１１で制御されている。
【００２３】
このような光ディスク装置内蔵型テレビジョン装置のテレビ視聴動作、光ディスク再生動作、光ディスク記録動作について説明する。
【００２４】
テレビ用マイコン１１は、ユーザにより図示しないリモコン等の操作手段から起動命令が入力されると、ＴＶユニット１０内の各機能部に起動信号を出力するとともに、光ディスクユニット２０の光ディスク用マイコン２１にも起動信号を出力する。
【００２５】
そして、テレビジョン放送視聴操作が入力されれば、その内容（チャンネル等）に従い、図示されていないテレビジョン放送信号再生手段で、受信したテレビジョン放送信号から指定されたチャンネルの映像信号および音声信号を再生して、表示部１３に出力する。
【００２６】
また、光ディスクのローディング部（図示せず）に情報が記録された光ディスクが装着され、操作部によりこの光ディスクの再生操作が入力されると、テレビ用マイコン１１は光ディスク用マイコン２１に再生操作命令を伝送し、光ディスク用マイコン２１は駆動部２３に光ディスク再生制御を行う。具体的には、スピンドルモータを所定回転数で回転させるとともに、ステッピングモータとトラッキンアクチュエータ、フォーカスアクチュエータとを駆動して、光ピックアップを装着された光ディスクの所定トラックに追随させて、光ディスク記録面に記録されている情報を読み取る。読み取られた情報は電気信号に変換されて、所定のデータ形式にデコードされて、映像データおよび音声データを生成して表示部１３に出力する。
【００２７】
また、光ディスクに書き込み可能な光ディスクが装着され、操作部によりこの光ディスクへの記録操作が入力されると、テレビ用マイコン１１は光ディスク用マイコン２１に記録操作命令を伝送し、光ディスク用マイコン２１は駆動部２３に光ディスク記録制御を行う。ここで、受信中のテレビジョン放送信号の映像および音声を記録する場合には、テレビ用マイコン１１は、テレビジョン放送信号再生手段で、受信したテレビジョン放送信号から指定されたチャンネルの映像信号および音声信号を再生して、光ディスクユニット２０内の光ディスク記録手段に出力する。光ディスク用マイコン２１は、この光ディスク記録手段に入力される映像・音声信号をエンコードするとともに光ディスク記録形式のデータに変換する制御を行い。光ディスク記録手段は、この制御に従って変換したデータを光ピックアップに出力する。光ピックアップは入力されたデータを光信号に変換して光ディスクの記録面に照射して情報を記録する。
【００２８】
このような光ディスク装置内蔵型テレビジョン装置には、電源ＯＦＦでも予約再生や予約録画が可能なようにと、停電時に所定時間に亘り電源を供給し続けるために時計機能が備えられており、これはＴＶユニット１０においてはテレビ用マイコン１１に備えられ、光ディスクユニット２０においては光ディスク用マイコン２１に備えられている。このため、テレビ用マイコン１１のみではなく、光ディスク用マイコン２１にも常時電力供給を行わなければならない。
【００２９】
このため、本発明の光ディスク装置内蔵型テレビジョン装置では、次に示す動作が行われている。
【００３０】
ユーザにより、電源オフ（スタンバイモード）の操作入力されると、テレビ用マイコン１１は、前記起動信号の出力を停止する。すなわち、所定のＨｉレベルの信号がＬｏｗレベルの信号に変化する。この信号に従い、テレビ用電源１２は、ＴＶユニット１０内の表示部１３を含む各部への電力供給をスタンバイモード用の低電力に移行する。
【００３１】
また、テレビ用マイコン１１からの起動信号の出力が停止されると、光ディスクユニット２０の発振停止コントローラ２４は、この信号変化を検出して、光ディスク用電源２２の一次側への電力供給を停止する信号を発生して、光ディスク用電源２２に出力する。光ディスク用電源２２の一次側には、この信号が入力されることで電力供給を停止するスイッチ回路が備えられており、電力供給停止信号を受けて光ディスク用電源２２の一次側電源への電力供給を停止する。
【００３２】
また、これと同時にテレビ用マイコン１１はテレビ用電源１２に対して光ディスク用マイコン２１に電力供給する制御を行い、テレビ用電源１２はこの制御に従い、スタンバイモードでの電力を光ディスク用マイコン２１に供給する。
【００３３】
さらに、これと同時に光ディスク用マイコン２１は、テレビ用マイコンからの起動信号の入力が停止したことを検知して、低周波数発振での動作を開始する。この際、光ディス用マイコン２１への電力供給は光ディスク用電源２２からテレビ用電源１２に切り替わる。
【００３４】
このような構成とすることで、スタンバイモードになると、光ディスク用電源２２が全く動作しなくなるので、消費電力が大幅に抑制される。この際、光ディスク用マイコン２１の動作を維持するため、テレビ用電源１２から電力が供給されるが光ディスク用マイコン２１は元々消費電力が低いため、テレビ用電源１２で増加する消費電力は殆ど増加しない。
【００３５】
図２は本実施形態の装置と従来の装置とでのスタンバイモード時の消費電力を示す表である。
【００３６】
図２に示すように、本実施形態の装置と従来の装置とでは、テレビ用マイコン１１および光ディスク用マイコン２１で消費される電力は０．１Ｗで変化しないが、本実施形態の装置では、従来に１．０Ｗであった光ディスク用電源２２の消費電力が、光ディスク用電源２２に電力が供給されないため、０Ｗになった。すなわち、本実施形態の装置では、スタンバイモード時に光ディスク用電源２２で全く電力が消費されない。この際、テレビ用電源１２では光ディスク用マイコン２１の電力供給を行うため、０．１Ｗ従来よりも消費電力が増加したが、光ディスク用電源２２で１．０Ｗの消費電力が低減されたため、全体として、従来装置で１．６Ｗであったスタンバイモード時の消費電力が０．７Ｗまで低減し、省エネルギーモードの目標基準である１．０Ｗよりも低くすることができる。
【００３７】
すなわち、スタンバイモード時の消費電力を抑制した光ディスク装置内蔵型テレビジョン装置を構成することができる。
【図面の簡単な説明】
【００３８】
【図１】本発明の実施形態に係る光ディスク装置内蔵型テレビジョン装置の電源系の概略構成を示すブロック図
【図２】本発明品と従来品とのスタンバイモードでの消費電力の比較表
【図３】従来の光ディスク装置内蔵型テレビジョン装置の電源系の概略構成を示すブロック図
【符号の説明】
【００３９】
１−筐体
１０−ＴＶユニット
１１−テレビ用マイコン
１２−テレビ用電源
１３−表示部
２０−光ディスクユニット
２１−光ディスク用マイコン
２２−光ディスク用電源
２３−駆動部
２４−発振停止コントローラ
【図１】
2005347995.tif 000003
【図２】
2005347995.tif 000004
【図３】
2005347995.tif 000005